(57)【特許請求の範囲】
【請求項１】
ＨＤＴＶ形式の映像信号（ＨＤＴＶ信号）のスタジオサブシステムに用いられ、入力ＨＤＴＶ信号に対しデジタル処理により画像表現上の特殊効果を与える特殊効果装置において、
ＳＤＴＶ形式の映像信号（ＳＤＴＶ信号）からアップコンバートされアスペクト比の違いにより映像情報が不足した両袖部を有するアップコンバート化ＨＤＴＶ信号を入力すると、別に入力される映像信号を前記両袖部にはめ込み合成し通常のＨＤＴＶ信号として出力する両袖補完装置を、前段に設けた特殊効果装置であり、
前記両袖補完装置が、外部からの制御信号の値に基づいて、入力信号に対する両袖部への映像信号の補完処理をオン／オフさせる機能を有し、
前記両袖補完装置への入力信号がアップコンバート化ＨＤＴＶ信号か通常のＨＤＴＶ信号かを判定し、アップコンバート化ＨＤＴＶ信号ならば前記両袖補完装置の両袖部への映像信号の補完処理をオンさせ、通常のＨＤＴＶ信号ならば前記両袖補完装置の両袖部への映像信号の補完処理をオフさせる値を持つ前記制御信号を前記両袖補完装置へ送出する制御手段を有することを特徴とする特殊効果装置。
【請求項２】
ＨＤＴＶ形式の映像信号（ＨＤＴＶ信号）のスタジオサブシステムに用いられ、入力ＨＤＴＶ信号に対しデジタル処理により画像表現上の特殊効果を与える特殊効果装置において、
ＳＤＴＶ形式の映像信号（ＳＤＴＶ信号）からアップコンバートされアスペクト比の違いにより映像情報が不足した両袖部を有するアップコンバート化ＨＤＴＶ信号を入力すると、別に入力される映像信号を前記両袖部にはめ込み合成し通常のＨＤＴＶ信号として出力する両袖補完装置を、前段に設けた特殊効果装置であり、
前記両袖補完装置が、入力信号がアップコンバート化ＨＤＴＶ信号か通常のＨＤＴＶ信号かを判定する判定手段を有し、自律的に、入力信号に対する両袖部への映像信号の補完処理をオン／オフさせることを特徴とする特殊効果装置。
【請求項３】
ＳＤＴＶ信号を入力する第１の入力端子と、
通常のＨＤＴＶ信号を入力する第２の入力端子と、
前記第１の入力端子に入力されたＳＤＴＶ信号をアップコンバートしアスペクト比の違いにより映像情報が不足した両袖部を有するアップコンバート化ＨＤＴＶ信号を出力するアップコンバータと、
外部からの第１の制御信号の値に基づいて、前記アップコンバータから出力されるアップコンバート化ＨＤＴＶ信号か、前記第２の入力端子に入力される通常のＨＤＴＶ信号かのいずれか一方を選択し、出力するマトリクススイッチと、
前記アップコンバート化ＨＤＴＶ信号の両袖部用の映像信号を生成する両袖映像発生装置と、
前記マトリクススイッチからの出力信号と、前記両袖映像発生装置からの出力信号と、外部からの第２の制御信号とを入力し、前記第２の制御信号の値が両袖部への映像信号の補完処理を指示しているときは、前記マトリクススイッチからの出力信号を、その両袖部へ前記両袖映像発生装置からの出力信号を補完してから出力し、前記第２の制御信号の値が両袖部への映像信号の補完処理を指示していないときは、前記マトリクススイッチからの出力信号を、そのまま出力する両袖補完装置と、
前記第１の制御信号及び前記第２の制御信号を出力すると共に、前記第１の制御信号の値を前記アップコンバータから出力されるアップコンバート化ＨＤＴＶ信号の選択を指示する値としたときは、前記第２の制御信号の値を両袖部への映像信号の補完処理を指示する値とし、前記第１の制御信号の値を前記第２の入力端子に入力されるＨＤＴＶ信号の選択を指示する値としたときは、前記第２の制御信号の値を両袖部への映像信号の補完処理を指示しない値とする制御装置と、
前記両袖補完装置の出力信号を入力しデジタル処理により画像表現上の特殊効果を与える特殊効果装置とを備えることを特徴とするスタジオサブシステム。
【請求項４】
ＨＤＴＶ信号のスタジオサブシステムに用いられ、入力ＨＤＴＶ信号に対しデジタル処理により画像表現上の特殊効果を与える特殊効果装置における両袖補完方法において、
前段に設けられた両袖補完装置で、ＳＤＴＶ信号からアップコンバートされアスペクト比の違いにより映像情報が不足した両袖部を有するアップコンバート化ＨＤＴＶ信号に対し、別に入力される映像信号を前記両袖部にはめ込み合成し通常のＨＤＴＶ信号としてから前記特殊効果装置に入力する両袖補完方法であり、
マトリクススイッチを通して前記両袖補完装置に入力される信号が、前記アップコンバート化ＨＤＴＶ信号か前記通常のＨＤＴＶ信号かのいずれであるか判定し、
アップコンバート化ＨＤＴＶ信号の場合は、両袖部用の映像信号を生成し前記両袖補完装置に同時に入力して前記両袖部にはめ込み合成し、通常のＨＤＴＶ信号として前記特殊効果装置に入力し、
通常のＨＤＴＶ信号の場合は、そのまま前記特殊効果装置に入力することを特徴とする両袖補完方法。
【発明の詳細な説明】
【０００１】
【発明の属する技術分野】
本発明はＨＤＴＶスタジオサブシステム、及びそれに用いられる特殊効果装置とその両袖補完方法に関し、特にＳＤＴＶ形式の映像信号（ＳＤＴＶ信号）からアップコンバートされアスペクト比の違いにより映像情報が不足した両袖部を有するアップコンバート化ＨＤＴＶ形式の映像信号（ＨＤＴＶ信号）を含むＨＤＴＶ信号に対し、デジタル処理により画像表現上の特殊効果を与える特殊効果装置と、それを用いたスタジオサブシステムと、その両袖部の映像信号補完方法とに関する。
【０００２】
【従来の技術】
ハイビジョン等の高精細，高品質のテレビジョン方式（ＨＤＴＶ：Ｈｉｇｈ  Ｄｅｆｉｎｉｔｉｏｎ  Ｔｅｌｅｖｉｓｉｏｎ）の映像信号を切り替え、合成を行う映像スイッチャを含むスタジオサブシステムにおいて、映像信号に対しデジタル処理によりワイプ，スクロール，ズーム，ページターンなどの三次元を含む画像表現上の特殊効果を与える特殊効果装置（ＤＶＥ：Ｄｉｇｉｔａｌ  Ｖｉｄｅｏ  Ｅｆｆｅｃｔ）を利用して画面合成を行っている。
【０００３】
【発明が解決しようとする課題】
ＨＤＴＶ信号の素材として、従来の標準のＮＴＳＣ信号であるＳＤＴＶ（Ｓｔａｎｄａｒｄ  Ｄｅｆｉｎｉｔｉｏｎ  Ｔｅｌｅｖｉｓｉｏｎ）形式の映像信号をアップコンバートすることによりＨＤＴＶ形式化した映像信号（アップコンバート化ＨＤＴＶ信号（以下、ＵＣ化ＨＤＴＶ信号と略記））を使用する場合がある。通常のＨＤＴＶ信号のアスペクト比が１６：９であるのに対して、ＳＤＴＶ信号のアスペクト比が４：３であるので、アスペクト比の違いにより、ＵＣ化ＨＤＴＶ信号では画面両側に映像情報のない黒の帯（両袖）が発生する。このＵＣ化ＨＤＴＶ信号をそのまま上述の特殊効果装置（ＤＶＥ）にて合成すると、ＤＶＥ合成画面においては、画面両側に黒の帯（両袖）が発生し、映像スイッチャと合成し番組制作を行う際（特に画面縮小を行う際）に好ましくない映像となってしまうという問題点があった（図４参照）。
【０００４】
本発明の目的は、通常のＨＤＴＶ信号の特殊効果処理を行う特殊効果装置（ＤＶＥ）にＳＤＴＶ信号からアップコンバートされたＨＤＴＶ信号を入力しても、ＤＶＥの合成画において常に両袖部に映像をのせることを実現し、映像スイッチャ等と合成しＤＶＥ画のサイズを縮小するといった運用を可能とするＨＤＴＶスタジオサブシステム、及びそれに用いられる特殊効果装置とその両袖補完方法を提供することにある。
【０００５】
【課題を解決するための手段】
本発明の請求項１に係る特殊効果装置は、ＨＤＴＶ形式の映像信号（ＨＤＴＶ信号）のスタジオサブシステムに用いられ、入力ＨＤＴＶ信号に対しデジタル処理により画像表現上の特殊効果を与える特殊効果装置において、ＳＤＴＶ形式の映像信号（ＳＤＴＶ信号）からアップコンバートされアスペクト比の違いにより映像情報が不足した両袖部を有するアップコンバート化ＨＤＴＶ信号を入力すると、別に入力される映像信号を前記両袖部にはめ込み合成し通常のＨＤＴＶ信号として出力する両袖補完装置を、前段に設けた特殊効果装置であり、前記両袖補完装置が、外部からの制御信号の値に基づいて、入力信号に対する両袖部への映像信号の補完処理をオン／オフさせる機能を有し、前記両袖補完装置への入力信号がアップコンバート化ＨＤＴＶ信号か通常のＨＤＴＶ信号かを判定し、アップコンバート化ＨＤＴＶ信号ならば前記両袖補完装置の両袖部への映像信号の補完処理をオンさせ、通常のＨＤＴＶ信号ならば前記両袖補完装置の両袖部への映像信号の補完処理をオフさせる値を持つ前記制御信号を前記両袖補完装置へ送出する制御手段を有する。
【０００７】
本発明の請求項２に係る特殊効果装置は、ＨＤＴＶ形式の映像信号（ＨＤＴＶ信号）のスタジオサブシステムに用いられ、入力ＨＤＴＶ信号に対しデジタル処理により画像表現上の特殊効果を与える特殊効果装置において、ＳＤＴＶ形式の映像信号（ＳＤＴＶ信号）からアップコンバートされアスペクト比の違いにより映像情報が不足した両袖部を有するアップコンバート化ＨＤＴＶ信号を入力すると、別に入力される映像信号を前記両袖部にはめ込み合成し通常のＨＤＴＶ信号として出力する両袖補完装置を、前段に設けた特殊効果装置であり、前記両袖補完装置が、入力信号がアップコンバート化ＨＤＴＶ信号か通常のＨＤＴＶ信号かを判定する判定手段を有し、自律的に、入力信号に対する両袖部への映像信号の補完処理をオン／オフさせる構成を有する。
【０００８】
本発明の請求項３に係るスタジオサブシステムは、ＳＤＴＶ信号を入力する第１の入力端子と、通常のＨＤＴＶ信号を入力する第２の入力端子と、前記第１の入力端子に入力されたＳＤＴＶ信号をアップコンバートしアスペクト比の違いにより映像情報が不足した両袖部を有するアップコンバート化ＨＤＴＶ信号を出力するアップコンバータと、外部からの第１の制御信号の値に基づいて、前記アップコンバータから出力されるアップコンバート化ＨＤＴＶ信号か、前記第２の入力端子に入力される通常のＨＤＴＶ信号かのいずれか一方を選択し、出力するマトリクススイッチと、前記アップコンバート化ＨＤＴＶ信号の両袖部用の映像信号を生成する両袖映像発生装置と、前記マトリクススイッチからの出力信号と、前記両袖映像発生装置からの出力信号と、外部からの第２の制御信号とを入力し、前記第２の制御信号の値が両袖部への映像信号の補完処理を指示しているときは、前記マトリクススイッチからの出力信号を、その両袖部へ前記両袖映像発生装置からの出力信号を補完してから出力し、前記第２の制御信号の値が両袖部への映像信号の補完処理を指示していないときは、前記マトリクススイッチからの出力信号を、そのまま出力する両袖補完装置と、前記第１の制御信号及び前記第２の制御信号を出力すると共に、前記第１の制御信号の値を前記アップコンバータから出力されるアップコンバート化ＨＤＴＶ信号の選択を指示する値としたときは、前記第２の制御信号の値を両袖部への映像信号の補完処理を指示する値とし、前記第１の制御信号の値を前記第２の入力端子に入力されるＨＤＴＶ信号の選択を指示する値としたときは、前記第２の制御信号の値を両袖部への映像信号の補完処理を指示しない値とする制御装置と、前記両袖補完装置の出力信号を入力しデジタル処理により画像表現上の特殊効果を与える特殊効果装置とを備える。
【０００９】
本発明の請求項４に係る両袖補完方法は、ＨＤＴＶ信号のスタジオサブシステムに用いられ、入力ＨＤＴＶ信号に対しデジタル処理により画像表現上の特殊効果を与える特殊効果装置における両袖補完方法において、前段に設けられた両袖補完装置で、ＳＤＴＶ信号からアップコンバートされアスペクト比の違いにより映像情報が不足した両袖部を有するアップコンバート化ＨＤＴＶ信号に対し、別に入力される映像信号を前記両袖部にはめ込み合成し通常のＨＤＴＶ信号としてから前記特殊効果装置に入力する両袖補完方法であり、マトリクススイッチを通して前記両袖補完装置に入力される信号が、前記アップコンバート化ＨＤＴＶ信号か前記通常のＨＤＴＶ信号かのいずれであるか判定し、アップコンバート化ＨＤＴＶ信号の場合は、両袖部用の映像信号を生成し前記両袖補完装置に同時に入力して前記両袖部にはめ込み合成し、通常のＨＤＴＶ信号として前記特殊効果装置に入力し、通常のＨＤＴＶ信号の場合は、そのまま前記特殊効果装置に入力する工程を有する。
【００１１】
【発明の実施の形態】
本発明の概要を説明する。ＨＤＴＶの映像信号を切り替え、合成を行うＨＤＴＶ映像スイッチャを含むスタジオサブシステムに関し、ＳＤＴＶ信号をアップコンバートしＨＤＴＶ信号に変換した信号（アップコンバート化ＨＤＴＶ信号）を三次元特殊効果装置（ＤＶＥ）にて合成する際、ＤＶＥ合成画面においても画面両側の帯（両袖）に対し映像をはめ込み合成する機能を有する。具体的には、ＤＶＥの前段に、両袖部に映像をはめ込み合成する両袖補完装置を実装し、両袖補完装置により両袖部に映像が合成された信号をＤＶＥの映像入力とすることで、ＤＶＥ合成画面において常に両袖部に映像がのるようにする。なお、制御装置により、入力素材（アップコンバート化ＨＤＴＶ（ＳＤＴＶ）、通常のＨＤＴＶ）の信号形式を判断し、両袖補完装置をＯＮ／ＯＦＦ（アップコンバート化ＨＤＴＶならばＯＮ、通常のＨＤＴＶならばＯＦＦ）させる。これにより、映像スイッチャ等と合成しＤＶＥ画のサイズを縮小するといった運用が可能となる。
【００１２】
次に、本発明の実施の形態について図面を参照して詳細に説明する。
【００１３】
図１は本発明の一実施の形態を示すブロック構成図である。
【００１４】
図１において、本例のスタジオサブシステムは、ＮＴＳＣ信号であるアスペクト比４：３のＳＤＴＶ形式の映像信号（ＳＤＴＶ信号）をそれぞれ入力する複数の第１の入力端子１０（１０−１〜１０−ｎ）と、アスペクト比１６：９の通常のＨＤＴＶ形式の映像信号（ＨＤＴＶ信号）をそれぞれ入力する複数の第２の入力端子１１（１１−１〜１１−ｍ）と、各第１の入力端子１０−１〜１０−ｎにそれぞれ入力された各ＳＤＴＶ信号をアップコンバートしアスペクト比の違いにより映像情報が不足した両袖部を有するアップコンバート化ＨＤＴＶ信号（ＵＣ化ＨＤＴＶ信号）をそれぞれ出力する複数のアップコンバータ（ＵＣ）２０（２０−１〜２０−ｎ）と、複数の入力端子の各々と複数の出力端子の各々との間を任意に接続するスイッチを有し、第１の制御信号ＳＣ１の値に基づいて各出力端子ごとに、ＵＣ２０−１〜２０−ｎから入力される各ＵＣ化ＨＤＴＶ信号及び第２の入力端子１１−１〜１１−ｍから入力される各通常のＨＤＴＶ信号のいずれか一つを選択し出力するマトリクススイッチ３０と、ＵＣ化ＨＤＴＶ信号の両袖部用のテロップや、文字情報等の映像信号を生成する両袖映像発生装置４１と、マトリクススイッチ３０のいずれかの出力端子に接続され、マトリクススイッチ３０からの出力信号，両袖映像発生装置４１からの出力信号，及び第２の制御信号ＳＣ２を入力し、第２の制御信号ＳＣ２の値が両袖部への映像信号の補完処理を指示しているときは、マトリクススイッチ３０からの出力映像信号をその両袖部へ両袖映像発生装置４１からの出力映像信号を補完してから出力（補完処理オン）し、第２の制御信号ＳＣ２の値が両袖部への映像信号の補完処理を指示していないときは、マトリクススイッチ３０からの出力映像信号をそのまま出力（補完処理オフ）する複数の両袖補完装置４０（４０−１〜４０−３）と、第１の制御信号ＳＣ１及び第２の制御信号ＳＣ２を出力すると共に、マトリクススイッチ３０のある出力端子に対する第１の制御信号ＳＣ１の値をＵＣ２０から出力されるＵＣ化ＨＤＴＶ信号の選択を指示する値としたときは、当該出力端子に接続された両袖補完装置４０に対する第２の制御信号ＳＣ２の値を両袖部への映像信号の補完処理を指示する値とし、当該出力端子に対する第１の制御信号ＳＣ１の値を第２の入力端子１１に入力されるＨＤＴＶ信号の選択を指示する値としたときは、当該両袖補完装置４０に対する第２の制御信号ＳＣ２の値を両袖部への映像信号の補完処理を指示しない値とする制御装置５０と、ある両袖補完装置４０（４０−１）の出力映像信号を入力しデジタル処理によりワイプ，スクロール，ズーム，ページターンなどの画像表現上の特殊効果を与える三次元特殊効果装置（ＤＶＥ）６０と、ＤＶＥ６０の出力映像信号と残りの両袖補完装置４０（４０−２，４０−３）の出力映像信号等の他の映像信号との切替，合成を行う映像ミキサー７１を含む映像スイッチャ７０とを備えている。
【００１５】
各両袖補完装置４０（４０−１〜４０−３）の内部構成例を図２に示す。図２において、両袖補完装置は、映像合成装置４０１と、ＫＥＹ発生部４０２とを有する。
【００１６】
ＳＤＴＶ信号（ＮＴＳＣ信号）をアップコンバートし、ＵＣ化ＨＤＴＶ信号に変換すると、図４に示すようなＮＴＳＣのアスペクト比４：３映像（ＵＣ素材）の両側に黒の帯（両袖）ができる映像（アスペクト比１６：９）となる。ＫＥＹ発生部４０２は、このＵＣ化ＨＤＴＶ信号の両袖部分が明るい信号（ＫＥＹ）を発生する。
【００１７】
映像合成装置４０１は、入力端子Ａにマトリクススイッチからの映像信号（ＵＣ化ＨＤＴＶ信号／通常のＨＤＴＶ信号）、入力端子Ｂに両袖映像発生装置４１からの映像信号（両袖部用映像信号）、入力端子ＫにＫＥＹ発生部４０２からのＫＥＹ信号、入力端子Ｃに制御装置５０からの制御信号ＳＣ２をそれぞれ入力する。この映像合成装置４０１は、制御信号ＳＣ２の値が両袖部への映像信号の補完処理を指示する値のとき、入力端子Ａの映像信号（ＵＣ化ＨＤＴＶ信号）に対し、入力端子ＫのＫＥＹ信号の明るい部分に入力端子Ｂの映像信号（両袖部用映像信号）をはめ込み合成し、両袖補完映像信号（通常のＨＤＴＶ信号）として出力する（図３参照）。制御信号ＳＣ２の値が両袖部への映像信号の補完処理を指示しない値のとき、入力端子Ａの映像信号（通常のＨＤＴＶ信号）をそのまま出力する。
【００１８】
なお本実施の形態では、両袖補完装置４０における、マトリクススイッチ３０からの映像信号（映像合成装置４０１の入力端子Ａへの信号）に対し両袖映像発生装置４１からの映像信号（映像合成装置４０１の入力端子Ｂへの信号）を合成するか否かの判定を、制御装置５０からの制御信号ＳＣ２の値に基づいて行っているが、これに限らず、両袖補完装置４０自身でマトリクススイッチ３０からの映像信号に基づいて自律的に判定するようにすることができる。
【００１９】
例えば、マトリクススイッチ３０からの入力映像信号とＫＥＹ発生部４０２からのＫＥＹ信号とを照合する手段を設け、ＫＥＹ信号が明るくなる両袖部分に相当する入力映像信号の部分が黒い状態になっているか判定し、両袖相当部分がすべて黒い状態になっていれば、入力映像信号はＵＣ化ＨＤＴＶ信号であると判定し、すべて黒い状態でなければ入力映像信号は通常のＨＤＴＶ信号であると判定する。この判定結果に基づいて、すなわち制御信号ＳＣ２を使用せずに、ＵＣ化ＨＤＴＶ信号に対する両袖部用映像信号のはめ込み合成を行うことができる。
【００２０】
本実施の形態においてはまた、両袖補完装置４０での補完に使用される両袖部用映像信号を、両袖映像発生装置４１で生成しているが、これに限らず、スタジオサブシステムの外部から入力するようにしたり、両袖補完装置４０の内部で入力されたＵＣ化ＨＤＴＶ信号に基づいて自律的に生成（例えば、一部信号の再使用）するようにすることができる。
【００２１】
ＤＶＥ６０は、両袖補完装置４０−１からの映像信号（Ｖ）に対し、マトリクススイッチ３０のある出力端子からの映像信号をキー（Ｋ）として、ワイプ，スクロール，ズーム，ページターンなどの三次元を含む画像表現上の特殊効果処理を行い映像スイッチャ７０へ出力する。
【００２２】
次に動作を説明する。
【００２３】
入力素材である各ＳＤＴＶ信号は、対応するＵＣ２０でＵＣ化ＨＤＴＶ信号に変換されマトリクススイッチ３０に入力される。一方、各通常のＨＤＴＶ信号は、そのままマトリクススイッチ３０に入力される。
【００２４】
制御装置５０は、ＤＶＥ６０に対する入力素材としていずれの素材を選択するか決定すると、対応する第１の制御信号ＳＣ１及び第２の制御信号ＳＣ２を生成し、マトリクススイッチ３０及びＤＶＥ６０前段の両袖補完装置４０−１へそれぞれ送出する。
【００２５】
すなわち、ＳＤＴＶ信号のいずれか（例えば入力端子１０−１の映像信号）を選んだ場合は、マトリクススイッチ３０に対し対応するＵＣ２０−１からの出力映像信号（ＵＣ化ＨＤＴＶ信号）を両袖補完装置４０−１へ出力するよう指示する値の第１の制御信号ＳＣ１、両袖補完装置４０−１に対し両袖部への映像信号の補完処理を指示する値（補完処理オンを示す値）の第２の制御信号ＳＣ２をそれぞれ送出する。
【００２６】
通常のＨＤＴＶ信号のいずれか（例えば入力端子１１−１の映像信号）を選んだ場合は、マトリクススイッチ３０に対し入力端子１１−１からの映像信号を両袖補完装置４０−１へ出力するよう指示する値の第１の制御信号ＳＣ１、両袖補完装置４０−１に対し両袖部への映像信号の補完処理を指示しない値（補完処理オフを示す値）の第２の制御信号ＳＣ２をそれぞれ送出する。
【００２７】
ＤＶＥ６０前段の両袖補完装置４０−１は、第２の制御信号ＳＣ２の値に応じて、入力映像信号の両袖部へ両袖映像発生装置４１からの出力映像信号を補完してからＤＶＥ６０へ出力（補完処理オン）するか、入力映像信号をそのままＤＶＥ６０へ出力（補完処理オフ）する。
【００２８】
すなわち、入力素材としてＳＤＴＶ信号を選んだ場合は、それによって変換されたＵＣ化ＨＤＴＶ信号の両袖部を両袖補完装置４０−１で補完し、通常のＨＤＴＶ信号としてＤＶＥ６０へ供給し、入力素材として通常のＨＤＴＶ信号を選んだ場合は、そのままの状態でＤＶＥ６０へ供給する。
【００２９】
以上により、ＤＶＥ６０の入力映像信号は常に通常のＨＤＴＶ信号となり、画面に特殊効果処理を施しても見苦しくなることはなく（図３参照）、映像スイッチャ７０等と合成しＤＶＥ画のサイズを縮小するといった運用が可能となる。
【００３０】
【発明の効果】
本発明によれば、ＨＤＴＶ信号を切り替え、合成を行うスタジオサブシステムにおいて、ＳＤＴＶ信号をアップコンバートし画面両側に黒の帯（両袖部）が残るＨＤＴＶ信号に変換した信号を特殊効果装置（ＤＶＥ）にて合成する際、ＤＶＥの前段に両袖部に映像をはめ込み合成する両袖補完装置を実装しているので、ＤＶＥ合成画面においても両袖部に映像がのるようになり、映像スイッチャ等と合成しＤＶＥ画のサイズを縮小するといった運用が可能となる。
【図面の簡単な説明】
【図１】本発明の一実施の形態を示すブロック構成図である。
【図２】本発明の両袖補完装置の内部構成例を示す図である。
【図３】ＳＤＴＶ信号をアップコンバートし両袖補完したＨＤＴＶ信号の構成と、この信号による本発明の特殊効果装置での合成例（縮小）とを示す図である。
【図４】ＳＤＴＶ信号をアップコンバートしたままのＨＤＴＶ信号の構成と、この信号による従来の特殊効果装置での合成例（縮小）とを示す図である。
【符号の説明】
１０（１０−１〜１０−ｎ）    （ＳＤＴＶ信号用）第１の入力端子
１１（１１−１〜１１−ｍ）    （ＨＤＴＶ信号用）第２の入力端子
２０（２０−１〜２０−ｎ）    アップコンバータ（ＵＣ）
３０    マトリクススイッチ
４０（４０−１〜４０−３）    両袖補完装置
４１    両袖映像発生装置
５０    制御装置
６０    三次元特殊効果装置（ＤＶＥ）
７０    映像スイッチャ
７１    映像ミキサー
【図１】
0003603782.tif 000002
【図２】
0003603782.tif 000003
【図３】
0003603782.tif 000004
【図４】
0003603782.tif 000005